(57)【特許請求の範囲】
【請求項１】
牽引される播種機のフロント横バー(5)に装着されるベースフレーム(11)と、このベースフレーム(11)の下方へ延び、下端側に軸着部(12)を有する支持フレーム(13)と、支持フレーム(13)の前側下方へ向けて連結される深耕爪本体(14)と、を有し、深耕爪本体(14)の上部に形成した軸受孔(20)を前記支持フレーム(13)の軸着部(12)に揺動可能に軸支するとともに、深耕爪本体(14)の軸受孔（20)の上部と、前記支持フレーム(13)の下部ブラケット(19)相互間に、支持フレーム(13)から前方へ所定下向角度で傾斜させた深耕爪本体(14)の後方回動を規制する係止機構を設けてなり、前記係止機構が、深耕爪本体(14)の前記軸受孔(20)よりも上部のピン孔(22)に設けた係止ピン(23)と、前記支持フレーム(13)の下部ブラケット(19)の後部縁辺に設けられ、前記深耕爪本体(14)の前記係止ピン(23)が係止される係合部(25)からなり、前記係止ピン(23)が深耕爪本体(14)に所定値を超える土中の抵抗が負荷されると破断して係合が解除される安全ボルトであることを特徴とする播種機用深耕装置
【請求項２】
牽引される播種機のフロント横バー(5)に装着されるベースフレーム(11)と、このベースフレーム(11)の下方へ延び、下端側に軸着部(12)を有する支持フレーム(13)と、支持フレーム(13)の前側下方へ向けて連結される深耕爪本体(14)と、を有し、深耕爪本体(14)の上部に形成した軸受孔(20)を前記支持フレーム(13)の軸着部(12)に揺動可能に軸支するとともに、深耕爪本体(14)の軸受孔(20)の上部と、前記支持フレーム(13)の下部ブラケット(19)相互間に、支持フレーム(13)から前方へ所定下向角度で傾斜させた深耕爪本体(14)の後方回動を規制する係止機構を設けてなり、前記係止機構が、前記支持フレーム(13)の下部ブラケット(19)の軸着部(12)上部に取付けた係止ピンと、この係止ピンに係合する前記深耕爪本体(14)の上部前面縁辺からなり、前記係止ピンが深耕爪本体(14)に所定値を超える土中の抵抗が負荷されると破断して係合が解除される安全ボルトであることを特徴とする播種機用深耕装置
【発明の詳細な説明】
【技術分野】
【０００１】
本発明は、トラクタ等で牽引される馬鈴薯等の播種機の前部に装着し、畝間の土壌を膨軟化する深耕装置に関する。
【背景技術】
【０００２】
トラクタ等で牽引されながら圃場に馬鈴薯等を植付ける播種機は、種芋タンクや肥料タンクを備えた播種機本体前部のフロント横バーに、畝と畝の間を深耕して畝間の土壌を膨軟化する複数の深耕装置が畝間に対応して装着されている。
上記構成の播種機は、図７に示すように、トラクタ等の牽引車Ａの後方へ延びるヒッチ７に播種機１の前記フロント横バー５を連結するとともに、フロント横バー５の上方に向けて固設した支柱フレーム１０に、牽引機後部に軸支した油圧シリンダ９などの駆動装置を連結し、作業をしないときは前記深耕装置６を装着した播種機１全体を上方へ持ち上げ、他方、播種作業時は播種機１を降ろし、前進させながら深耕装置の先端側を土中に突き入れて深耕作業を行うようになっている。
【発明の開示】
【発明が解決しようとする課題】
【０００３】
この種の播種機１は、作業にあたり種芋タンクや肥料タンクに内容物を投入する関係上、播種機をできるだけ低い位置へ、好ましくは、タイヤ接地位置へ降ろして作業することが求められている。
ところが、従来の播種機１は、フロント横バー５の下方へ延びる深耕装置６が一体物の部材として固設されているため、播種機１を下方へ降ろそうとすると、深耕装置６の先端が地面に突き当たって干渉され、所定下方位置へ降ろすことができないという不都合があった。
特に、種芋等の投入は、準備作業として圃場外の硬い地面で行われることが多いので、深耕装置を損壊させてしまうおそれもある。
【０００４】
従って、本発明の第１の目的は、播種機を下方へ降下させるときに、下方移動を干渉しない構造の播種機用深耕装置を提供することにある。
【０００５】
本発明の第２の目的は、播種に伴う進行作業中に、深耕装置に所定値以上の過大な土中抵抗が負荷されると、深耕姿勢を保持するための係止ピンの係止作用が解除される構造の前記深耕装置を提供することにある。
【課題を解決するための手段】
【０００６】
上記第１及び第２の目的を達成するために、本発明の播種機用深耕装置は、牽引される播種機のフロント横バーに装着されるベースフレームと、このベースフレームの下方へ延び、下端側に軸着部を有する支持フレームと、支持フレームの前側下方へ向けて連結される深耕爪本体と、を有し、この深耕爪本体の上部に形成した軸受孔を前記支持フレームの軸着部に揺動可能に軸支するとともに、深耕爪本体の軸受孔の上部と、前記支持フレームの下部ブラケット相互間に、支持フレームから前方へ所定下向角度で傾斜させた深耕爪本体の後方回動を規制する係止機構を設けてなり、前記係止機構は、前記深耕爪本体の前記軸受孔よりも上部のピン孔に設けた係止ピンと、前記支持フレームの下部ブラケットの後部縁辺に設けられ、深耕爪本体の前記係止ピンが係止される係合部からなり、前記係止ピンが深耕爪本体に所定値を超える土中の抵抗が負荷されると破断して係合が解除される安全ボルトであることを特徴とする。
【０００７】
深耕爪本体の後方回動を規制する前記係止機構は、支持フレームの下部ブラケットの軸着部上部に前記係止ピンを取付けるとともに、深耕爪本体の上部前面縁辺を下部ブラケットの前記係止ピンに係止させる構造にしてもよい。
【発明の効果】
【０００８】
本発明は、播種機を下方へ向けて降ろす際に、前方へ向けて下方傾斜させた深耕爪の先端が地面に当接すると、上方からの押圧力により深耕爪本体が軸支部を支点とし、深耕作業時に土中抵抗を受ける方向と逆の方向へフリーに回動して折りたたまれ、播種機の降下を干渉することがなくなる。他方、播種機を上方へ持ち上げると、深耕爪本体が軸支部を支点として自重で前方下方傾斜位置へ回動し、軸支部の上方に設けた係止ピンが支持フレームの係合部に係止する。この状態で播種機を降下させながら前進させると深耕爪が土中に潜り込んで深耕作業が遂行される。
【０００９】
深耕作業中に、深耕爪本体が土中の堅固な異物に衝突して、深耕爪、深耕爪本体あるいはその周辺部材を損傷させるような所定以上の抵抗を受けると、深耕爪本体の係止ピンが破断などにより支持フレームとの係合が解除される。その結果、深耕爪本体への過大負荷が事前に阻止され、破損が防止される。
【発明を実施するための最良の形態】
【００１０】
以下に、本発明の実施例を添付図面に基づいて説明する。
図１は、本発明による深耕装置６を装着した馬鈴薯などの播種機１の一例を示す斜視図である。この播種機１は、走行車輪２を有する車台３上に、種芋タンク４ａや肥料タンク４ｂを搭載し、この車台３の前部にこれと平行な、好ましくは鋼製の中空角材からなるフロント横バー５を結合してあり、このフロント横バー５に本発明による複数の、好ましくは鋼製の深耕装置６が、畝間に対応して装着されている。
なお、前記フロント横バー５及び車台３のフロントフレーム３´には、前記牽引車Ａ（図７参照）の牽引ヒッチ７を連結するための取付ブラケット８が固設されているとともに、播種機１を上下方向に回動する油圧シリンダ９を連結するための支柱フレーム１０が結合されている。
【００１１】
本発明の深耕装置６は、図２乃至図４に示すように、前記フロント横バー５に装着されるベースフレーム１１と、このベースフレーム１１の下方へ延び、下端側に軸着部１２を有する支持フレーム１３と、この支持フレーム１３の軸着部１２に、下方へ向けて揺動可能に連結される深耕爪本体１４を備えている。
【００１２】
深耕装置６は、畝と畝の間の土を掘り起こすことによって膨軟化させて排水を促進させ、地温上昇による作物の発芽・生育を促すことを目的として用いられるものであるが、畝間隔は必ずしも一定ではない。このため、ベースフレーム１１は、角材からなる前記フロント横バー５にスライド可能に嵌合される中空角材からなる基材１５の下方にブラケット１６を一体結合してなり、スライド可能に嵌合した前記基材１５を、ボルトなどの止め金具１７でフロント横バー５の所定位置に着脱自在に固定するようになっている。
【００１３】
前記支持フレーム１３は前記ベースフレーム１１の下方へ向けて結合される上部軸体１８と、前記軸着部１２を形成した下部ブラケット１９を一体形成した構成になっている。
【００１４】
前記深耕爪本体１４は、先端に深耕爪１４ａを一体結合した脚部１４ｂを有するとともに、この脚部１４ｂの上端から下方へ離隔した上部位置に、前記支持フレーム１３の下部ブラケット１９に形成した軸着部１２に対応する軸受孔２０を有し、支持フレーム１３の軸着部１２に深耕爪本体１４の軸受孔２０をボルト２１ａ、カラー２１ｂ、ワッシャ２１ｃ、ナット２１ｄ等で揺動可能に軸着してある。
【００１５】
深耕爪本体１４と支持フレーム１３の両部材間には、深耕爪本体１４を支持フレーム１３の前方へ向けて所定角度の下向傾斜位置に保持し、深耕爪本体１４の後方回動を規制する係止機構が設けられている。
図の実施例では、深耕爪本体１４の上端から前記軸受孔２０の間に形成したピン孔２２に所定破断強度の係止ピン２３をボルト２４で係着するとともに、支持フレーム１３の下部ブラケット１９後部縁辺に、深耕爪本体１４の前記係止ピン２３が係止される凹面係合部２５を形成し、深耕爪本体１４の係止ピン２３と、支持フレーム１３の下部ブラケット１９に形成した凹面係合部２５の係合で係止機構を構成している。
但し、係止機構の構造はこれに限定されるものではなく、下部ブラケット１９に係止ピンを取付け、深耕爪本体の上部前面縁辺を下部ブラケット１９の係止ピンに係止させる構造にしてもよい。
【００１６】
好ましくは、係止機構の前記係止ピン２３は、深耕爪本体１４が深耕作業中に土中の障害物などにより剪断応力を超える過大な土中抵抗を受けると破断し、図６に示すように、係止機構が解除されて深耕爪本体１４が後方へフリーに回動するようにする。この構造により、深耕装置６のより重要な部材が過大抵抗によって損壊しないようにしている。もちろん、係止ピン２３の剪断応力は深耕装置６を構成する部材の強度によって適宜設定される。
【００１７】
なお、図の実施例では、支持フレーム１３に深耕爪本体１４を所定の姿勢で安定支持させるために、支持フレーム１３の側面に深耕爪本体１４の先端側を受け入れる受容部２６を形成するとともに、ボルト孔２７に螺合したボルト２８で深耕爪本体１４を支持フレーム１３に押し付けてガタをなくすようにしている。
【００１８】
ベースフレーム１１のブラケット１６と、支持フレーム１３の結合は、ブラケット１６にボルト２９を前進・後退可能に支持するブラケット３０を一体形成するとともに、支持フレーム１３の上部軸体１８の上下方向に沿って、前記ボルト２９が係着される複数のボルト孔３１（図３参照）を形成し、上部軸体１８を上下に移動して固定することにより、深耕装置６の脚足長さを調整できるようにしている。
【００１９】
次に、本発明の作用を説明する。
図３及び図７の状態から走行停止中の播種機１を下降させて深耕爪本体１４の先端が地面に当接すると、図５及び図８に示すように、播種機１の自重で深耕爪本体１４が支持フレーム１３との枢着部を介して前方へ折りたたまれ、播種機１は深耕爪本体１４に干渉されることなく降下し、所望の下方位置で種芋、肥料等の積み込みが可能となる。積み込み完了後に、播種機１を持ち上げると深耕爪本体１４は脚部１４ｂの自重で図３の係合姿勢に戻るので、播種機１を降下させながら前進させると深耕爪本体１４は土壌中に潜り、深耕作業が実施される。
他方、深耕作業中の深耕爪本体１４が土中の障害物に衝突し、抵抗力が過大になると、支持フレーム１３の凹面係合部２５に係止されていた深耕爪本体１４の係止ピン２３が破断し、後方回動フリーとなって解放され、過大な負荷を受けない。
【産業上の利用可能性】
【００２０】
本発明の深耕装置はトラクタなどに牽引される動力播種機に取付けることにより、種芋等の積み込み時の干渉をなくし、衝撃吸収機能を有して利用することができる。
【図面の簡単な説明】
【００２１】
【図１】本発明の深耕装置を装着した播種機の斜視図
【図２】本発明の一実施例による深耕装置の分解図
【図３】図２実施例の深耕装置組付図
【図４】図３の前進側拡大図
【図５】図３実施例による深耕装置の作用説明図
【図６】図３実施例による深耕装置の作用説明図
【図７】深耕装置を具備させた播種機の動作説明図
【図８】本発明の深耕装置を装着した播種機の作用説明図
【符号の説明】
【００２２】
Ａ…牽引車
１…播種機
２…車輪
３…車台
３´…フロントフレーム
４ａ…種芋タンク
４ｂ…肥料タンク
５…フロント横バー
６…深耕装置
７…牽引ヒッチ
８…取付ブラケット
９…油圧シリンダ
１０…支柱フレーム
１１…ベースフレーム
１２…軸着部
１３…支持フレーム
１４…深耕爪本体
１４ａ…深耕爪
１４ｂ…脚部
１５…基材
１６…ブラケット
１７…止め金具
１８…上部軸体
１９…下部ブラケット
２０…軸受孔
２１ａ…ボルト
２１ｂ…カラー
２１ｃ…ワッシャ
２１ｄ…ナット
２２…ピン孔
２３…係止ピン
２４…ボルト
２５…凹面係合面
２６…受容部
２７…ボルト孔
２８…ボルト
２９…ボルト
３０…ブラケット
３１…ボルト孔
【図１】
0004597215.tif 000002
【図２】
0004597215.tif 000003
【図３】
0004597215.tif 000004
【図４】
0004597215.tif 000005
【図５】
0004597215.tif 000006
【図６】
0004597215.tif 000007
【図７】
0004597215.tif 000008
【図８】
0004597215.tif 000009